【手続補正書】
【提出日】平成19年10月23日(2007.10.23)
【手続補正１】
【補正対象書類名】明細書
【補正対象項目名】特許請求の範囲
【補正方法】変更
【補正の内容】
【特許請求の範囲】
【請求項１】
撮影構図決定のガイドとなるターゲットマークであって推奨風景の形状を有する風景ターゲットマークを複数種類記憶する記憶手段と、
撮影場所に応じて前記記憶手段に記憶された風景ターゲットマークの中から被写体観察画面内に表示する風景ターゲットマークを設定する表示設定手段とを有することを特徴とするカメラ。
【請求項２】
撮影場所を検出する位置検出手段を有し、
前記表示設定手段は、前記記憶手段に記憶された風景ターゲットマークのうち、前記位置検出手段により検出された撮影場所に応じた風景ターゲットマークを表示することを特徴とする請求項１に記載のカメラ。
【請求項３】
前記位置検出手段は、グローバルポジショニングシステムを用いて撮影場所を検出することを特徴とする請求項２に記載のカメラ。
【請求項４】
前記表示設定手段は、撮影方向に応じて前記記憶手段に記憶された風景ターゲットマークの中から被写体観察画面内に表示する風景ターゲットマークを設定することを特徴とする請求項１から３のいずれか一つに記載のカメラ。
【請求項５】
撮影方向を検出する方向検出手段を有し、
前記表示設定手段は、前記記憶手段に記憶された風景ターゲットマークのうち、前記方向検出手段により検出された撮影方向に応じた風景ターゲットマークを表示することを特徴とする請求項４に記載のカメラ。
【請求項６】
前記方向検出手段は、コンパスを用いて撮影方向を検出することを特徴とする請求項５に記載のカメラ。
【請求項７】
前記表示設定手段は、撮影日付および撮影時刻のうち少なくとも一方に応じて、前記記憶手段に記憶された風景ターゲットマークの中から被写体観察画面内に表示する風景ターゲットマークを設定することを特徴とする請求項１から６のいずれか一つに記載のカメラ。
【請求項８】
日付および時刻のうち少なくとも一方を示す情報を出力する日時情報出力手段を有し、
前記表示設定手段は、前記記憶手段に記憶された風景ターゲットマークのうち、前記日時情報出力手段から出力された情報に応じた風景ターゲットマークを表示することを特徴とする請求項７に記載のカメラ。
【請求項９】
前記日時情報出力手段は、日付および時刻のうち少なくとも一方をカウントする時計を用いて、日付および時刻のうち少なくとも一方を示す情報を出力することを特徴とする請求項８に記載のカメラ。
【請求項１０】
撮影時におけるカメラ本体の姿勢を検出する姿勢検出手段と、この姿勢検出手段の検出結果に応じて、撮影構図決定のガイドとなるターゲットマークの向きを変えて被写体観察画面内に表示する表示設定手段とを有することを特徴とするカメラ。
【請求項１１】
前記表示設定手段は、カメラ本体の状態が所定状態になることにより、前記被写体観察画面内の前記風景ターゲットマークの表示を解除することを特徴とする請求項１から９のいずれか一つに記載のカメラ。
【請求項１２】
前記所定状態が、撮影を完了した状態であることを特徴とする請求項１１に記載のカメラ。
【請求項１３】
前記所定状態が、カメラ本体の電源がオフの状態であることを特徴とする請求項１１に記載のカメラ。
【請求項１４】
前記所定状態が、撮影条件が変更された状態であることを特徴とする請求項１１に記載のカメラ。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明であるカメラは、撮影構図決定のガイドとなるターゲットマークであって風景の形状に形成された風景ターゲットマークを複数種類記憶する記憶手段と、この記憶手段に記憶された風景ターゲットマークの中から撮影場所に応じて選択される風景ターゲットマークを被写体観察画面内に表示する表示設定手段とを有することを特徴とする。
【手続補正４】
【補正対象書類名】明細書
【補正対象項目名】００１１
【補正方法】変更
【補正の内容】
【００１１】
ここで、本発明のカメラは、撮影場所を検出する位置検出手段を備え、表示設定手段が、記憶手段に記憶された風景ターゲットマークの中から位置検出手段による検出結果に応じた風景ターゲットマークを選択表示させる。また、撮影方向を検出する方向検出手段、撮影日付および撮影時刻のうち少なくとも一方を出力する日時情報出力手段を備え、これらの手段で得られる情報に応じた風景ターゲットマークを表示させてもよい。さらに、カメラ本体の姿勢を検出する姿勢検出手段を備え、この姿勢検出手段の検出結果に基づいて、被写体観察画面内に表示されるターゲットマークの向きを変えるようにしてもよい。これにより、撮影者は撮影に適したターゲットマークを被写体観察画面内に簡単に表示させることができる。
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】変更
【補正の内容】
【００１４】
１１０は露出の補正を行うために操作される露出補正部である。１１１はストロボモード入力部であり、マイコン１１に対して撮影者が選択したストロボモードの信号を送る。ストロボモードとしては、例えば、撮影時にストロボ発光を行わないストロボオフモード、強制的にストロボ発光を行うストロボオンモード、被写体輝度や光線の方向等でストロボ発光させるか否かを判断するストロボオートモードといったものがある。また、このストロボモードにおいては、ストロボ発光時にいわゆる赤目緩和機能を動作させるか否かを判断することもできる。
【手続補正７】
【補正対象書類名】明細書
【補正対象項目名】００２７
【補正方法】変更
【補正の内容】
【００２７】
ステップ１００１では、構図選択部１１７が操作されるまで待機しており、構図選択部１１７が操作されるとステップ１００２に進む。ステップ１００２では、構図選択部１１７の操作に応じて選択されたターゲットマークがファインダー表示部１１６に表示される（構図表示）。ここで、撮影者の構図選択部１１７の操作により、図２に示すターゲットマーク１１６ａ〜１１６ｃのうちいずれか１つ又は２つが表示されたり、すべてのターゲットマークが表示されたり、すべてのターゲットマークが消灯したりする。
【手続補正８】
【補正対象書類名】明細書
【補正対象項目名】００３４
【補正方法】変更
【補正の内容】
【００３４】
ステップ１０１０では、選択されたターゲットマークを消灯して撮影が完了したことを撮影者に知らせるとともに、測距ポイントと焦点距離の設定を解除してステップ１００１に戻る。ここで、複数コマの撮影が完了したときに、選択されたターゲットマークを消灯するとともに、測距ポイントおよび焦点距離の設定を解除するようにしてもよい。
【手続補正９】
【補正対象書類名】明細書
【補正対象項目名】００５７
【補正方法】変更
【補正の内容】
【００５７】
ステップ１０１０では、選択されたターゲットマークを消灯して撮影が完了したことを撮影者に知らせるとともに、測距ポイントと焦点距離の設定を解除してステップ１００１に戻る。ここで、複数コマの撮影が完了したときに、ターゲットマークを消灯するとともに、測距ポイントおよび焦点距離の設定を解除するようにしてもよい。
【手続補正１０】
【補正対象書類名】明細書
【補正対象項目名】００６５
【補正方法】変更
【補正の内容】
【００６５】
撮影位置・方向・時間検出部３１は、撮影場所、撮影方向を検出してこの検出結果を構図記憶部３２に送るとともに、撮影時間（日付を含む）を示す情報を構図記憶部３２に出力する。具体的には、撮影位置・方向・時間検出部３１は、グローバルポジショニングシステム（ＧＰＳ）を用いて撮影場所を検出したり、コンパスを用いて撮影方向を検出したり、標準時間をカウントする時計を用いて撮影時間を示す情報を出力したりする。
【手続補正１１】
【補正対象書類名】明細書
【補正対象項目名】００７３
【補正方法】変更
【補正の内容】
【００７３】
ステップ３００５では、推奨構図のリストの中から選択された推奨構図の確定を行い、この確定された推奨構図を液晶ファインダー２３に表示する。ここで、液晶ファインダー２３に表示される推奨構図は、姿勢検出部２１の検出結果に応じた方向に表示される。また、表示される推奨構図には、風景を表す形状に形成された風景マーク（風景ターゲットマーク）と人物を表す形状に形成された人物マークが表示され、人物マークは風景マークに対して推奨される位置に予め配置されている。例えば、図８ａに示す推奨構図のリストの中から「池のほとり」を選択してレリーズボタン１１３を半押しすると、「池のほとり」が推奨構図として確定し、液晶ファインダー２３には図８ｂに示すように、金閣寺と池を表す形状に形成された風景マーク３３と人物マーク１１６ｊが表示される。ここで、人物マーク１１６ｊは、風景マーク３３に対して右側に予め配置されている。
【手続補正１２】
【補正対象書類名】明細書
【補正対象項目名】００８６
【補正方法】変更
【補正の内容】
【００８６】
ステップ１００９では、撮影が完了するまで待機し、撮影が完了するとステップ１０１０に進む。ステップ１０１０では、選択されたターゲットマークを消灯して撮影が完了したことを撮影者に知らせるとともに、測距ポイントと焦点距離の設定を解除してステップ１００１に戻る。ここで、複数コマの撮影が完了したときに、ターゲットマークを消灯するとともに、測距ポイントおよび焦点距離の設定を解除するようにしてもよい。
【手続補正１３】
【補正対象書類名】明細書
【補正対象項目名】００９５
【補正方法】変更
【補正の内容】
【００９５】
また、撮影場所を検出する位置検出手段を有することで、撮影場所に応じたターゲットマークを自動選択することができるため、ターゲットマークの表示内容を変更するための操作が容易となる。ここで、撮影方向を検出する方向検出手段や、日時および時刻のうち少なくとも一方を示す情報を出力する日時情報出力手段や、カメラ本体の姿勢を検出する姿勢検出手段を備え、これらの検出結果等に応じたターゲットマークを自動選択するようにしても同様の効果が得られる。
【手続補正１４】
【補正対象書類名】図面
【補正対象項目名】図６
【補正方法】変更
【補正の内容】
【図６】
2002131824.tif 000001
【手続補正１５】
【補正対象書類名】図面
【補正対象項目名】図９
【補正方法】変更
【補正の内容】
【図９】
2002131824.tif 000002